(57)【要約】【課題】成形誤差の影響を受けることなく、ターンテーブルと対向するクランパを確実にセンタリングする。【解決手段】クランパ１４の内部に第１のマグネット２０を組み込み、クランパ１４を取り付ける支持プレート１１の取付孔１３の内周面に第１のマグネット２０と同極に着磁した第２のマグネット２０を取り付ける。クランパ１４は係止爪２８によって取付孔１３に遊動自在に取り付け、クランパ１４内の第１のマグネット２０と取付孔１３の第２のマグネット２２との磁気的な反発力によって、クランパ１４を取付孔１３の中心にセンタリングする。【選択図】図１
2007294038.tif 000002
【特許請求の範囲】
【請求項１】
搬送機構で搬送されたディスク状の記憶媒体を載置するターンテーブルと、このターンテーブルと対向して支持部材に取付けられるクランパとを備え、前記クランパと前記ターンテーブルとで前記ディスクを挟持して回転駆動する記録再生装置であって、前記クランパを前記支持部材に形成する取付孔に対して遊動自在に支承保持するとともに、このクランパに第１のマグネットを設け、前記取付孔の内周には前記第１のマグネットと同極に着磁された第２のマグネットを設け、この第１及び第２のマグネットの磁気的な反発力によって前記クランパを前記取付孔に対してセンタリングするように構成したことを特徴とするセンタリング機能を有する記録再生装置。
【請求項２】
前記クランパは、前記取付孔の内周より径小に形成されたホルダを備え、このホルダに前記支持プレートに対して前記クランパを上下動自在に取り付けるための複数の係止爪を設けたことを特徴とする請求項１記載のセンタリング機能を有する記録再生装置。
【請求項３】
前記第１及び第２のマグネットの磁気的な反発力によって、少なくとも前記ディスクの非挟持状態において、ホルダを下限位置に保持するように構成したことを特徴とする請求項２記載のセンタリング機能を有する記録再生装置。
【発明の詳細な説明】
【技術分野】
【０００１】
本発明は、ディスク状記憶媒体（以下、単にディスクと称す）をターンテーブルとクランパで挟持してディスクを回転させる記録再生装置、特に、取付孔に対するクランパのセンタリング機能を有する記録再生装置に関する。
【背景技術】
【０００２】
一般に、記録再生装置は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの記憶媒体を装置内部において回転させ、この回転した状態の記憶媒体の記録面にピックアップユニットより照射するレーザー光を当接し、前記記憶媒体の記録面より反射したレーザー光を前記ピックアップユニットによって受光することで前記記憶媒体に予め記録されている情報を読み込み再生する、或いは前記記憶媒体へ情報を書き込み記録する機能を有する。
【０００３】
通常、この種の着脱可能なディスクは、その中央に中心孔が設けられ、ディスクへの記録または再生を行なう場合は、ディスクの中心孔が記録再生装置のターンテーブルと嵌合し、さらにターンテーブルが上昇し、ターンテーブルの対向位置に備えたクランパが前記ディスクのレーベル面側より押圧してターンテーブルとクランパとでディスクを挟持する。
【０００４】
ディスクをターンテーブルとクランパとで挟持する場合、クランパが、そのクランパと対向位置にあるターンテーブルとずれている場合、ディスクを安定して挟持することが困難となる。このため、クランパを支持部材に取り付ける際、クランパを正確に位置合わせするためのセンタリング機能を備えた記録再生装置が種々提案されている。例えば特許文献１では、クランパを取り付けるための取付孔（特許文献１では装備孔と記載）の上面周縁に断面Ｖ字状の溝部を設けるとともに、クランパの外周に複数の摺動部を設け、摺動部の先端部を断面Ｖ字状の溝部の底部と当接させてクランパをセンタリングするディスク記録／再生装置のディスククランプ機構が開示されている。なお、特許文献１における摺動部は弾性変形可能なフック状に形成され、クランパを取付孔に装着する際、摺動部をそれぞれ内側に撓ませて取付孔を貫通させた後、弾性復帰させることによって摺動部の先端部を断面Ｖ字状の溝部に当接させている。
【０００５】
【特許文献１】特開平１０−２０８３４５号公報
【発明の開示】
【発明が解決しようとする課題】
【０００６】
特許文献１に示すディスククランプ機構は、摺動部と係合させる溝部を断面Ｖ字状に形成することによって、溝部のテーパ面に沿って摺動部が内側に案内され、これにより取付孔とクランパとの中心を一致させることから、クランパの取付時において、摺動部を内側に撓ませた際、摺動部が変形し易い。また、摺動部の成形誤差などによって摺動部の曲がり、反りなど変形が生じるなどして摺動部が溝部の途中で引っ掛かる場合もあり、取付孔の中心にクランパを正確にセンタリングできず、所定位置に搬入されたディスクの中心と前記クランパの中心との位置がずれた状態で前記ディスクを挟持する虞がある。このように、前記ディスクの中心と前記クランパの中心とがずれた状態で挟持すれば、前記ディスクの上面に前記クランパが一時的に乗り上げた後にターンテーブルとの挟持動作に移行することとなり、その際に異音が発生したり、或いはディスクの挟持が不完全な状態となる不具合が生じる。さらに、クランパは単に自重によって溝部上に載置しているに過ぎないから、仮にディスク記録／再生装置が傾いた状態でディスクの搬入／搬出を行った場合、非挟持状態のクランパはフレームに対して上下方向に移動可能に取り付けられていることから、ターンテーブルに対するクランパの平行度に狂いが生じ、搬入されたディスクが所定の位置を過ぎて装置の奥側に滑落し、最悪の場合、搬入したディスクを取り出すことが出来ず、装置の故障に繋がる危険性がある。
【０００７】
本発明は上述した問題点に鑑みてなされたものであり、成形誤差の影響を受けることなく、ターンテーブルと対向するクランパを確実にセンタリングしてディスクを挟持する際の異音を抑制することができるとともに、仮に記録再生装置が傾斜した状態でディスクの搬入／搬出を行った場合であってもターンテーブルに対するクランパの平行度を保ってディスクが所定の位置を過ぎて装置の奥側に滑落することを防止することができるクランパのセンタリング機能を有する記録再生装置を提供することを目的とする。
【課題を解決するための手段】
【０００８】
請求項１のセンタリング機能を有する記録再生装置は、搬送機構で搬送されたディスク状の記憶媒体を載置するターンテーブルと、このターンテーブルと対向して支持部材に取付けられるクランパとを備え、前記クランパと前記ターンテーブルとで前記ディスクを挟持して回転駆動する記録再生装置であって、前記クランパを前記支持部材に形成する取付孔に対して遊動自在に支承保持するとともに、このクランパに第１のマグネットを設け、前記取付孔の内周には前記第１のマグネットと同極に着磁された第２のマグネットを設け、この第１及び第２のマグネットの磁気的な反発力によって前記クランパを前記取付孔に対してセンタリングするように構成したことを特徴とする。
【０００９】
請求項１の構成により、取付孔に装着したクランパには、常に第１のマグネットと第２のマグネットとの磁気的な反発力が作用し、その第１のマグネットと第２のマグネットによる磁気的な反発力によってクランパが取付孔に対してセンタリングされる。
【００１０】
請求項２のセンタリング機能を有する記録再生装置は、請求項１に記載のセンタリング機能を有する記録再生装置において、前記クランパは、前記取付孔の内周より径小に形成されたホルダを備え、このホルダに前記支持プレートに対して前記クランパを上下動自在に取り付けるための複数の係止爪を設けたことを特徴とする。
【００１１】
請求項２の構成により、取付孔にクランパを組み付けた際、クランパは取付孔内において径方向に移動自在となり、クランパに組み付けた第１のマグネットと取付孔に装着した第２のマグネットとの磁気的な反発力によって、クランパが取付孔に対してセンタリングされることになる。
【００１２】
請求項３のセンタリング機能を有する記録再生装置は、請求項２記載のセンタリング機能を有する記録再生装置において、前記第１及び第２のマグネットの磁気的な反発力によって、少なくとも前記ディスクの非挟持状態において、ホルダを下限位置に保持するように構成したことを特徴とする。
【００１３】
請求項３の構成により、クランパが第１及び第２のマグネットの磁気的な反発力によって、ホルダが下限位置に保持されるから、仮に記録再生装置を傾けた状態で前記ディスクの搬入／搬出を行ったとしても、ターンテーブルに対するクランパの平行度を保つことができる。
【発明の効果】
【００１４】
請求項１の記録再生装置によれば、搬送機構で搬送されたディスク状の記憶媒体を載置するターンテーブルと、このターンテーブルと対向して支持部材に取付けられるクランパとを備え、前記クランパと前記ターンテーブルとで前記ディスクを挟持して回転駆動する記録再生装置であって、前記クランパを前記支持部材に形成する取付孔に対して遊動自在に支承保持するとともに、このクランパに第１のマグネットを設け、前記取付孔の内周には前記第１のマグネットと同極に着磁された第２のマグネットを設け、この第１及び第２のマグネットの磁気的な反発力によって前記クランパを前記取付孔に対してセンタリングするように構成したものであるから、クランパや支持部材の成形精度の影響を受けることなく、第１及び第２のマグネットの磁力によってクランパを取付孔に対して正確かつ確実にセンタリングすることができ、これにより、クランパとターンテーブルとの中心位置を一致させてディスクを確実に挟持することができる。
【００１５】
請求項２のセンタリング機能を有する記録再生装置によれば、請求項１記載のセンタリング機能を有する記録再生装置において、前記クランパは、前記取付孔の内周より径小に形成されたホルダを備え、このホルダに前記支持プレートに対して前記クランパを上下動自在に取り付けるための複数の係止爪を設けたものであるから、クランパに組み付けた第１のマグネットと取付孔に装着した第２のマグネットとの磁気的な反発力によって、クランパを取付孔の中心に正確にセンタリングすることが可能となる。
【００１６】
請求項３のセンタリング機能を有する記録再生装置によれば、請求項２記載のセンタリング機能を有する記録再生装置において、前記第１及び第２のマグネットの磁気的な反発力によって、少なくとも前記ディスクの非挟持状態において、ホルダを下限位置に保持するように構成したものであるから、仮に記録再生装置を傾けた状態で前記ディスクの搬入／搬出を行ったとしても、記録再生装置の奥側へディスクが滑落することを防止することが可能となる。
【発明を実施するための最良の形態】
【００１７】
以下、本発明の記録再生装置（以下、ディスク装置と称す）の具体的実施例としてトレイ方式のディスク装置について、添付図面を参照しながら説明する。なお、以下の実施態様は、本発明を具体化する際の一形態であって、本発明をその範囲内に限定するためのものではない。
【実施例１】
【００１８】
図１〜図５は本発明の実施例１を示すものであり、図１はディスクを挟持した状態を示すディスク装置の断面図、図２はクランパの取付部近傍を示す部分拡大断面図、図３はクランパの分解斜視図、図４はクランパの取付状態を示す斜視図、図５はディスクを挟持する前の状態を示すディスク装置の断面図である。
【００１９】
同図に示すように、本実施例のディスク装置１は、ディスク２を回転駆動するターンテーブル３及びディスク２の半径方向へ進退可能に設けたピックアップユニット（図示せず）などを金属製シャーシ４に組み付けたトラバースユニット５を主要構成部品とし、これらの主要構成部品を合成樹脂製のフレーム１０に組み付けている。
【００２０】
前記フレーム１０は、搬送機構としてのトレイを案内する水平壁部（何れも図示せず）と、この水平壁部の両側縁に一体成形する左右一対の側壁部１０Ａと、この側壁部１０Ａの上端部に架設した支持部材たる帯状の支持プレート１１とを有して合成樹脂によって形成され、支持プレート１１に前記ターンテーブル３と対向する位置に取付孔１３が形成され、この取付孔１３にクランパ１４を取り付けている。
【００２１】
前記トラバースユニット５の金属製シャーシ４には、前記ターンテーブル３の駆動モータ６や前記ピックアップユニットをディスク２の半径方向へと進退自在に移動させるモータ及び該モータの駆動をピックアップユニットに伝達するためのギア機構（何れも図示せず）などが組み込まれている。また、金属製シャーシ４は、その後端部をフレーム１０に枢着し、その枢着部を支点としてその反対側の金属製シャーシ４の自由端（前端側）を上下方向に移動自在に組み付けることによって、フレーム１０に対して金属製シャーシ４を傾動自在に取り付け、その金属製シャーシ４の自由端（前端側）にトレイの動作と連動して左右方向に摺動するカムなどの連動機構（図示せず）を配置し、この連動機構によって、前記金属製シャーシ４を含むトラバースユニット５の自由端（前端側）を上下方向に昇降するように構成されている。これにより、トレイを出し入れする際、トレイがフレーム１０の内部に進入しきった際、連動機構によって金属製シャーシ４の自由端（前端側）を上方へと移動させ、支持プレート１１に組み付けたクランパ１４と金属製シャーシ４に組み付けたターンテーブル３とでディスク２を挟持してトレイに載置したディスク２を回転駆動することが可能となる。
【００２２】
次にクランパ１４のセンタリング機能について説明する。クランパ１４には第１のマグネット２０が内蔵され、そのクランパ１４を取り付ける前記支持プレート１１の取付孔１３の内周面に前記第１のマグネット２０と同極に着磁された第２のマグネット２２が装着されている。すなわち、クランパ１４に設けた第１のマグネット２０がＮ極であれば取付孔１３には少なくとも前記第１のマグネット２０と対向する面がＮ極となる第２のマグネット２２を装着し、クランパ１４の第１のマグネット２０がＳ極であれば取付孔１３には少なくとも前記第１のマグネット２０と対向する面がＳ極となる第２のマグネット２２を装着する。
【００２３】
次にクランパ１４の構成について主に図２及び図３を参照して詳述する。前記クランパ１４は前記第１のマグネット２０を組み付ける合成樹脂製のホルダ２３を備えている。このホルダ２３は、その中心に前記第１のマグネット２０の中心に設けた孔部２０Ａと嵌合する中空状のボス部２４を有した第１のマグネット２０を収容する筒部２５と、この筒部２５の下端部周縁から突設して前記ディスク２を押えるためのフランジ２６とで構成されている。また、前記ホルダ２３の筒部２５の外径は前記取付孔１３の内径より径小に形成され、取付孔１３に対して遊動自在に組み込まれるものであり、この筒部２５には前記第１のマグネット２０を載置するための受部２７が前記ボス部２４の下端部から筒部２５の内周面に向かって放射状に一体成形され、この受部２７の先端に前記ホルダ２３を取り付けるための係止爪２８を一体形成している。この係止爪２８は、前記筒部２５と連続するように受部２７の先端から垂直に立設している。なお、第１のマグネット２０の底面には前記受部２４と嵌合してホルダ２３に対して第１のマグネット２０を位置決めするための溝部２９が形成されている。符号３１は前記ホルダ２３内に収納した第１のマグネット２０を固定するための固定用フックであり、前記筒部２５に形成した複数の割り溝３０によって弾性変形可能に形成され、前記筒部２５及び係止爪２８と同心円状に連続している。
【００２４】
前記取付孔１３の内周下部には段差部３２が形成され、この段差部３２に前記第２のマグネット２２が例えば両面テープなどの適宜手段によって固定され、この取付孔１３の内周面に設けた第２のマグネット２２と、前記ホルダ２３内に設けた第１のマグネット２０との磁性的な反発力によって取付孔１３に対してクランパ１４をセンタリングしている。また、前記ターンテーブル３はディスク２の中心に設けた開口部２Ａに挿入嵌合する凸部３５を備え、その凸部３５の上面に前記クランパ１４に内蔵した第１のマグネット２０と磁気的に吸着するように着磁されたマグネット３６が配置されている。なお、このマグネット３６に代えて単にクランパ１４に内蔵した第１のマグネット２０と磁気的に吸着する磁性体を設けてもよく、要はクランパ１４とターンテーブル３とが近接した際、相互に吸着してディスク２を挟持する方向に作用する構成であればよい。
【００２５】
以上のように構成されるディスク装置１は、取付孔１３に形成する段差部３２に第２のマグネット２２を固定した後、クランパ１４のホルダ２３に形成する係止爪２８を内側に撓ませながら支持プレート１１の下方側から前記ホルダ２３を取付孔１３に挿入して前記係止爪２８を弾性復帰させる。そして、支持プレート１１に取り付けたホルダ２３の内側に第１のマグネット２０を収納し、固定用フック３１によって受部２７に載置したマグネット２０を固定することにより、第１のマグネット２０を内蔵するホルダ２３が支持プレート１１の取付孔１３に取り付けられる。支持プレート１１に取り付けたホルダ２３は、取付孔１３より径小に形成され、取付孔１３に対して遊動自在に取り付けられているため、クランパ１４内の第１のマグネット２０と取付孔１３の内周面に装着した第２のマグネット２２との磁気的な反発力によって、取付孔１３の中心にセンタリングされる。このように、クランパ１４内の第１のマグネット２０と取付孔１３の内周面に装着した第２のマグネット２２との磁気的な反発力によって、前記クランパ１４は取付孔１３の中心位置にクランパ１４を正確にセンタリングすることによって、ディスク２を搬送するトレイ（図示せず）がフレーム１０の内部に進入しきって、金属製シャーシ４の自由端（前端側）を上方へと移動させた際、金属製シャーシ４に組み付けたターンテーブル３と支持プレート１１に組み付けたクランパ１４との回転中心が一致するため、係止爪２８や支持プレート１１などの成形誤差などの影響を受けることなく、搬入されたディスク２の中心との位置を合わせることができるから、ディスク２を挟持する際の異音の発生を防止することができるとともに、ターンテーブル３とクランパ１４とでディスク２を確実にかつ安定的に挟持することができる。また、支持プレート１１に取り付けたホルダ２３は、係止爪２８によって支持プレート１１に対して上下動自在に組み込まれ、ディスク２の非挟持時においてホルダ２３内の第１のマグネット２０が取付孔１３の水平中心部より下方に位置し、第１のマグネット２０と第２のマグネット２２との磁気的な反発力によって、クランパ１４が浮き上がることなく常に下限位置で保持でき、仮に、ディスク装置１が傾斜していたとしても、クランパ１４とターンテーブル３との平行度を保つことができる。このため、例えば、ディスク装置１を傾けた状態でディスク２の搬入／搬出を行った場合であっても、ディスク２が所定の位置を過ぎて装置の奥側に滑落するのを防止することができる。
【実施例２】
【００２６】
図６〜図１０は、本発明の実施例２を示すものであり、図６はディスクを挟持した状態を示すディスク装置の断面図、図７はクランパの取付部近傍を示す部分拡大断面図、図８はクランパの分解斜視図、図９はクランパの取付状態を示す斜視図、図１０はディスクを挟持する前の状態を示すディスク装置の断面図である。
【００２７】
なお、本実施例においては、クランパ１４及びクランパ１４の取付部近傍における構成が異なる以外、前記実施例１と実質同一であり、前記実施例１と共通する部分には同一符号を付し、重複する部分の説明を省略し、異なる部分についてのみ説明する。前記実施例１においては、受部２４と係止爪２８とを一体形成した例を示したが、本実施例では、受部２４と係止爪２８Ａとを別体で形成している。すなわち、本実施例では、ホルダ２３の上端縁から係止爪２８Ａを突設させることで、係止爪２８Ａを弾性変形可能としている。また、本実施例では係止フック爪２８Ａをホルダ２３の上端縁から突出することで、前記第１実施例より、係止爪２８Ａの上端位置が高くなり、ターンテーブル３とクランパ１４とでディスク２を挟持した際、係止フック３９が支持プレート１１から突出しないように、取付孔１３の周縁から環状凸部４０を一体に形成している。
【００２８】
以上のように構成される本実施例においては、前記実施例１と同様、クランパ１４内の第１のマグネット２０と取付孔１３の内周面に装着した第２のマグネット２２との磁気的な反発力によって、クランパ１４を取付孔１３の中心にセンタリングすることができ、ディスク２を挟持する際の異音の発生を防止することができるとともに、ターンテーブル３とクランパ１４とでディスク２を確実にかつ安定的に挟持することができる。さらに、第１のマグネット２０と第２のマグネット２２との磁気的な反発力によってクランパ１４の浮き上がりを抑えて下限位置で保持することで、仮に、ディスク装置１を傾けた状態でディスク２の搬入／搬出を行った場合であっても、ディスク２が所定の位置を過ぎて装置の奥側に滑落するのを防止することができる。
【００２９】
以上、本発明の一実施例を詳述したが、本発明は前記実施例に限定されるものでなく、本発明の要旨の範囲内で種々の変形実施が可能である。例えば、支持プレートを取り付ける係止爪の形状やマグネットを固定する固定用フックを含むホルダの形状などは前記実施例に限定されることなく、適宜選定すればよい。また、本発明の実施例においてはディスクの搬送機構としてトレイを備えた所謂トレイ方式のディスク装置について説明したが、本発明はトレイ方式のディスク装置に限定するものではなく、記憶媒体の挿入を直接行うことが可能なスロットイン方式のディスク装置や、複数の記憶媒体の収納を可能とするチェンジャー方式のディスク装置などの構成であってもよい。
【図面の簡単な説明】
【００３０】
【図１】本発明の実施例１におけるディスクを挟持した状態を示すディスク装置の断面図である。
【図２】同上、クランパの取付部近傍を示す部分拡大断面図である。
【図３】同上、クランパの分解斜視図である。
【図４】同上、クランパの取付状態を示す斜視図である。
【図５】同上、ディスクを挟持する前の状態を示すディスク装置の断面図である。
【図６】本発明の実施例２におけるディスクを挟持した状態を示すディスク装置の断面図である。
【図７】同上、クランパの取付部近傍を示す部分拡大断面図である。
【図８】同上、クランパの分解斜視図である。
【図９】同上、クランパの取付状態を示す斜視図である。
【図１０】同上、ディスクを挟持する前の状態を示すディスク装置の断面図である。
【符号の説明】
【００３１】
１  ディスク装置
２  ディスク
３  ターンテーブル
１１  支持プレート（支持部材）
１４  クランパ
２０  第１のマグネット
２２  第２のマグネット
２３  ホルダ
２８，２８Ａ  係止爪
【図１】
2007294038.tif 000003
【図２】
2007294038.tif 000004
【図３】
2007294038.tif 000005
【図４】
2007294038.tif 000006
【図５】
2007294038.tif 000007
【図６】
2007294038.tif 000008
【図７】
2007294038.tif 000009
【図８】
2007294038.tif 000010
【図９】
2007294038.tif 000011
【図１０】
2007294038.tif 000012